(57)【特許請求の範囲】
【請求項１】
基体と、この基体に対し可動に設けられた灯具とを有し、この灯具が、この灯具の光源による照射側が前記基体側となるように折り畳み可能な照明装置において、
前記光源の照射側を覆うようにカバー体を設け、このカバー体と一体的に導光部を設け、前記灯具を折り畳んだ際に前記カバー体と対向する前記基体の部位が前記光源からの光を反射可能であると共に、前記導光部の先端部を、前記灯具を折り畳んだ際に露出するよう、前記光源による照射方向とは異なる方向に、光学的に露出させることを特徴とする照明装置。
【請求項２】
前記導光部の先端部を、前記光源の照射方向の反対側で光学的に露出させることを特徴とする請求項１記載の照明装置。
【請求項３】
前記光源を囲むように反射体を設けると共に、この反射体と一体的に、前記導光部を囲む筒状部を設けることを特徴とする請求項１又は２に記載の照明装置。
【請求項４】
前記灯具における前記光源の照射側に突部を設け、前記基体における前記突部に対応する位置に凹部を設けると共に、前記灯具の折り畳み時に、前記突部が前記凹部内に収容されることを特徴とする請求項１記載の照明装置。
【発明の詳細な説明】
【技術分野】
【０００１】
本発明は、基体に対し灯具を折り畳み可能な電気スタンド等の照明装置に関するものである。
【背景技術】
【０００２】
従来、この種の照明装置としては、柱状部（本願発明の基体に相当する）に対し可動部（本願発明の灯具に相当する）を揺動可能に設けると共に、第一ＬＥＤ（本願発明の光源に相当する）の照射方向が柱状部を向くように、可動部を折り畳むことが出来る照明装置が知られている（例えば、特許文献１参照。）。
【先行技術文献】
【特許文献】
【０００３】
【特許文献１】実用新案登録第３１７４６３５号公報
【発明の概要】
【発明が解決しようとする課題】
【０００４】
しかしながら、このような照明装置は、光源を点灯したままで灯具を折り畳んでしまうと、光源を点灯させていることに気付かず、そのまま点灯させ続ける虞があった。なお、光源から放射された光は、基体と灯具との隙間から僅かに漏れるが、周囲が明るい場合、気付きにくいという問題があった。
【０００５】
本発明は以上の問題点を解決し、光源を点灯させたまま灯具を折り畳んでも気付きやすく、消し忘れを防止できる照明装置を提供することを目的とする。
【課題を解決するための手段】
【０００６】
本発明の請求項１に記載の照明装置は、基体と、この基体に対し可動に設けられた灯具とを有し、この灯具が、この灯具の光源による照射側が前記基体側となるように折り畳み可能な照明装置において、前記光源の照射側を覆うようにカバー体を設け、このカバー体と一体的に導光部を設け、前記灯具を折り畳んだ際に前記カバー体と対向する前記基体の部位が前記光源からの光を反射可能であると共に、前記導光部の先端部を、前記灯具を折り畳んだ際に露出するよう、前記光源による照射方向とは異なる方向に、光学的に露出させるものである。
【０００７】
また、本発明の請求項２に記載の照明装置は、請求項１において、前記導光部の先端部を、前記光源の照射方向の反対側で光学的に露出させるものである。
【０００８】
また、本発明の請求項３に記載の照明装置は、請求項１又は２において、前記光源を囲むように反射体を設けると共に、この反射体と一体的に、前記導光部を囲む筒状部を設けるものである。
【０００９】
更に、本発明の請求項４に記載の照明装置は、請求項１において、前記灯具における前記光源の照射側に突部を設け、前記基体における前記突部に対応する位置に凹部を設けると共に、前記灯具の折り畳み時に、前記突部が前記凹部内に収容されるものである。
【発明の効果】
【００１０】
本発明の請求項１に記載の照明装置は、以上のように構成することにより、前記光源から放射された光の一部が、前記カバー体から導光部に導かれ、この導光部から前記光源による照射方向とは異なる方向に放射されるので、前記光源を点灯させたまま前記灯具を折り畳んでも、前記導光部からの光によって、前記光源が点灯しているのが分かり、消し忘れを防止することができる。また、前記灯具を閉じた状態で、前記光源から放射された光が前記基体における前記カバー体との対向位置で反射して前記カバー体に戻ることで、前記導光部に導かれる光の量が増えるので、前記灯具を開いた状態に比べ、前記導光部の先端部から放出される光の量を増加させ、より視認しやすくすることができる。
【００１１】
なお、前記導光部の先端部を、前記光源の照射方向の反対側で光学的に露出させることで、前記光源を点灯させたまま前記灯具を折り畳んでも、前記光源が点灯しているのをより分かりやすくすることができる。
【００１２】
また、前記光源を囲むように反射体を設けると共に、この反射体と一体的に、前記導光部を囲む筒状部を設けることで、前記光源から放射された光が、前記導光部から漏れることなく、この導光部から放出される光量を多くして、前記光源が点灯しているのをより分かりやすくすることができる。
【００１３】
また、前記灯具における前記光源の照射側に突部を設け、前記基体における前記突部に対応する位置に凹部を設けると共に、前記灯具の折り畳み時に、前記突部が前記凹部内に収容されることにより、基体と灯具との間から光が漏れにくい構造であっても、前記導光部からの光によって、前記光源が点灯しているのが分かり、消し忘れを防止することができる。
【図面の簡単な説明】
【００１４】
【図１】本発明の第一の実施形態を示す照明装置の装置本体の斜視図である。
【図２】同、灯具を閉じた状態における正面図である。
【図３】同、灯具を閉じた状態における右側面図である。
【図４】同、灯具を開いた状態における右側面図である。
【図５】同、Ａ−Ａ拡大断面図である。
【図６】同、本発明の第二の実施形態を示す照明装置の要部の拡大断面図である。
【図７】同、本発明の第三の実施形態を示す照明装置の要部の拡大断面図である。
【発明を実施するための形態】
【００１５】
以下、本発明の第一の実施形態について、図１乃至図５に基づいて説明する。なお、本実施形態において、図２及び図３を基準として、前後上下左右を規定する。即ち、図３における左を前、右を後と規定する。また、後述する灯具５は揺動可能であるが、図２及び図３の状態に基づいて、便宜上、前後上下を規定する。１は、本発明の照明装置である。この照明装置１は、装置本体２と、充電台３とを有して構成される。なお、前記装置本体２は、前記充電台３上に着脱可能に載置されると共に、図示しない給電端子と受電端子によって電気的に接続される。また、前記装置本体２は、基体４と、この基体４に対し揺動可能に取り付けられた灯具５とを有して構成される。そして、前記灯具５は、前記基体４に対し折り畳み可能である。
【００１６】
前記基体４は、前半体６Ａと後半体６Ｂからなる外殻体６を有する。この外殻体６は、縦長で且つ上部が後方に向かって反るように形成される。また、前記前半体６Ａの中央部から上端にかけて、段部７が形成される。そして、この段部７の下部には、後方に向かって凹む凹部８が形成される。なお、この凹部８を含む前半体６Ａの表面は、光が良好に反射されることが望ましい。この場合、反射とは、鏡面反射でも拡散反射でもよい。また、前記段部７の下部の左右両側には、前記灯具５に指を掛けるための指掛け凹部９が設けられる。更に、前記前半体６Ａの正面下部には、スイッチ操作部１０が設けられる。また、前記後半体６Ｂの下部の内側には、電池室１１が設けられる。そして、この電池室１１内には、二次電池１２が設けられる。また、前記外殻体６内には、点灯回路や充電回路が形成された回路基板１３が設けられる。そして、この回路基板１３に実装されたスイッチ１４が、前記スイッチ操作部１０によって押圧可能となる。更に、前記外殻体６の上端部に、左右一対の軸受部１５，１５が上方に突出して設けられる。
【００１７】
前記灯具５は、前半体１６Ａと後半体１６Ｂからなる外殻体１６を有する。この外殻体１６は、前記基体４の外殻体６に倣って、上方ほど後方に反るように形成される。また、前記外殻体１６の後半体１６Ｂの上部には、軸受突部１７が形成される。この軸受突部１７は、前記両軸受部１５，１５間に位置する。そして、これら軸受部１５，１５と軸受突部１７を、図示しない揺動軸によって揺動可能に枢支する。即ち、この揺動軸によって、前記灯具５は前記基体４に揺動可能に枢支される。なお、前記揺動軸は、左右方向に水平に設けられる。そして、前記揺動軸から前記灯具５の先端までの長さは、前記揺動軸から前記段部７の下端までの長さよりも僅かに短い。また、前記灯具５の厚さは、前記段部７の深さよりも僅かに薄い。従って、前記灯具５の先端が前記基体４に近付くように、前記灯具５を揺動させると、この灯具５は、図２及び図３に示されるように、前記段部７に収まるように折り畳まれる。また、前記外殻体１６の前記軸受突部１７よりも上方には、把持部１８が設けられる。更に、前記前半体１６Ａの下部には、前後方向に貫通した貫通孔１９が形成される。そして、前記後半体１６Ｂの下部には、後方に突出した突部２０が形成される。なお、前記凹部８は、前記突部２０に対応して設けられたものである。即ち、前記灯具５を折り畳んだ際に、前記突部２０は前記凹部８に収容される。
【００１８】
前記突部２０は、側面視で、後方に三角形状に突出する。この突部２０の下方の面、即ち図４のように前記灯具５を開いた際に前方となる面は、光を透過させない壁面２１である。一方、前記突部２０における前記壁面２１よりも前記揺動軸側となる部位には、後方に開口する開口部２２が形成される。そして、この開口部２２には、この開口部２２を塞ぐように、透光性を有するカバー体２３が設けられる。なお、このカバー体２３は、透明な合成樹脂で形成され、その表面に微細な多数の凹凸を形成することで、このカバー体２３を透過する光を拡散させるように構成される。また、前記カバー体２３の内側には、基板２４に実装された光源としての複数のＬＥＤ２５が設けられる。更に、これらのＬＥＤ２５を囲むように、反射体２６が設けられる。なお、この反射体２６は、白色の合成樹脂で形成される。
【００１９】
前記カバー体２３には、前方に延びる導光部２７が、前記カバー体２３と一体に形成される。即ち、前記導光部２７も、透明な合成樹脂で形成される。なお、前記導光部２７が延びる前方は、光源としての前記ＬＥＤ２５による照射方向である後方に対し、ほぼ反対側である。また、前記反射体２６には、前記導光部２７を囲むように前方に延びる筒状部２８が、前記反射体２６と一体に形成される。即ち、前記筒状部２８も、白色の合成樹脂で形成される。そして、前記導光部２７の先端部は、前記貫通孔１９で外部に露出する。
【００２０】
なお、２９は前記装置本体２の脚部である。また、３０は前記充電台３の電源コードである。そして、この電源コード３０の先端には、図示しないＡＣアダプタが接続される。
【００２１】
次に、本実施形態の作用について説明する。まず、前記充電台３の電源コード３０を図示しない交流電源に接続し、前記充電台３に前記装置本体２を載置する。この際、前記充電台３の図示しない給電端子が、前記装置本体２の図示しない受電端子と電気的に接続される。これによって、交流電流が前記ＡＣアダプタによって直流電流に変換され、この直流電流が給電端子と受電端子を介して前記装置本体２内の前記二次電池１２に供給され、この二次電池１２が充電される。
【００２２】
そして、前記把持部１８を把持して前記装置本体２を前記充電台３から取り外し、前記装置本体２を任意の場所に運んだ後、前記灯具５を開いて前記スイッチ操作部１０によって前記スイッチ１４を操作することで、前記二次電池１２から前記点灯回路を経て前記ＬＥＤ２５に電力が供給される。なお、前記基体４に指掛け凹部９が形成されていることにより、使用者が前記灯具５に指を掛けやすくなっている。これによって、前記灯具５が開きやすくなっている。そして、これらのＬＥＤ２５に電力が供給されることで、これらのＬＥＤ２５が点灯する。そして、これらのＬＥＤ２５から放射された光は、一部が直接、一部が前記反射体２６で反射した後、前記カバー体２３を透過する。なお、前記ＬＥＤ２５から放射された光は、前記カバー体２３を透過する際に、適度に拡散される。そして、前記カバー体２３を透過した光によって、被照射面を照射することができる。
【００２３】
なお、前記装置本体２を前記充電台３に載置した状態であっても、前記灯具５を開いて前記スイッチ操作部１０によって前記スイッチ１４を操作すれば、前記ＬＥＤ２５を点灯させることができる。この場合、前記充電台３から供給された電力は、前記回路基板１３の点灯回路を経て、前記ＬＥＤ２５に供給される。この際、前記二次電池１２が満充電状態でなければ、同時に、前記回路基板１３の充電回路を経て、前記二次電池１２を充電し続ける。
【００２４】
なお、前記灯具５に前記突部２０を設け、この突部２０の下部に前記壁部２１を設けることで、図４に示すように、前記灯具５を、その先端側が水平位置よりも高くなるように開いたとしても、前記ＬＥＤ２５から前方に放射された光が前記壁面２１によって遮蔽され、使用者の目に直接入らない。このため、前記灯具５の先端が高くなるようにしても、使用者に眩しさを感じさせにくいようにすることができる。換言すると、前記揺動軸の位置が低くなるように前記装置本体２を小型化しても、使用者に眩しさを感じさせることなく、前記ＬＥＤ２５の位置を高くすることができる。
【００２５】
そして、前記ＬＥＤ２５から放射された光の一部は、前記カバー体２３自体の内部において前記導光部２７に導かれ、この導光部２７の露出した先端部から放出される。なお、前述した通り、前記導光部２７の周囲が前記筒状部２８によって囲まれていることで、前記導光部２７の側面から漏れた光を、前記筒状部２８の内面で反射させて前記導光部２７に戻すことができる。これによって、前記導光部２７から前記灯具５外に放出される光の量が減少しないようにして、前記導光部２７が光っていることを確実に認識させることができる。また、前記カバー体２３と前記導光部２７が一体に形成されることにより、部品点数を増やすことなく、前記ＬＥＤ２５の消し忘れを容易に認識させることができる。なお、本実施形態のような、光源としてＬＥＤ２５を用いる場合、このＬＥＤ２５を実装するための不透明な基板２４が必要となるため、前記ＬＥＤ２５の実装面の逆側へは、光を照射することができない。前記導光部２７を用いることで、光源がＬＥＤ２５であっても、このＬＥＤ２５から放射された光を、前記ＬＥＤ２５の放射方向の逆側へ導くことができる。
【００２６】
そして、前記装置本体２の使用を止める場合、使用者は、前記スイッチ操作部１０によって前記スイッチ１４を操作して前記ＬＥＤ２５を消灯させた後、前記灯具５を折り畳み、前記把持部１８を把持して前記装置本体２を前記充電台３に載せる。そして、前記ＬＥＤ２５を点灯させた分、前記二次電池１２が放電したので、前記回路基板１３の充電回路によって、再び前記二次電池１２の充電が開始される。なお、前記装置本体２を前記充電台３に載置したまま使用した場合、使用者は、前記スイッチ操作部１０によって前記スイッチ１４を操作して前記ＬＥＤ２５を消灯させた後、前記灯具５を折り畳むだけでよい。
【００２７】
なお、前記スイッチ操作部１０を操作せずに前記灯具５を折り畳んでしまうこともあり得る。この場合、前記基体４と灯具５との間から光が漏れるが、周囲が明るければ、この漏れる光に気付かず、前記ＬＥＤ２５を点灯させ続けてしまう可能性がある。特に、本実施形態の装置本体２では、前記灯具５の突部２０が前記基体４の凹部８内に収容されるので、前記基体４と灯具５との間から漏れる光は僅かである。このため、前記基体４と灯具５との間から漏れる光によって、前記ＬＥＤ２５が点灯しているか否かを判断するのは困難である。しかしながら、前記灯具５の前半体１６Ａに形成された貫通孔１９から前記導光部２７の先端部が露出し、この導光部２７の先端部から、前記ＬＥＤ２５から放射された光の一部が放出されるので、前記灯具５を閉じた状態であっても、前記ＬＥＤ２５が点灯しているか否かを判断することができる。特に、前記灯具５を閉じた状態では、前記ＬＥＤ２５から放射された光が前記基体４の凹部８で反射して前記カバー体２３に戻ることで、前記導光部２７に導かれる光の量が増えるので、前記灯具５を開いた状態に比べ、前記導光部２７の先端部から放出される光の量が増加し、より視認しやすくなる。また、前記導光部２７の先端部は、光源となる前記ＬＥＤ２５の照射方向の反対側、即ち前記灯具５を畳んだ際の正面側で、前記前半体１６Ａに形成された貫通孔１９で露出するので、使用者がより視認しやすくできる。そして、前記ＬＥＤ２５の消灯し忘れに気付いた使用者は、前記スイッチ操作部１０によって前記スイッチ１４を操作して前記ＬＥＤ２５を消灯させる。
【００２８】
以上のように本発明は、基体４と、この基体４に対し可動に設けられた灯具５とを有し、この灯具５が、この灯具５の光源としてのＬＥＤ２５による照射側が前記基体４側となるように折り畳み可能な照明装置１において、前記ＬＥＤ２５の照射側を覆うようにカバー体２３を設け、このカバー体２３と一体に導光部２７を設けると共に、この導光部２７の先端部を、前記ＬＥＤ２５による照射方向とは異なる方向に露出させたことで、前記ＬＥＤ２５から放射された光の一部が、前記カバー体２３から導光部２７に導かれ、この導光部２７の先端部から放出されるので、前記ＬＥＤ２５を点灯させたまま前記灯具５を折り畳んでも、前記導光部２７からの光によって前記ＬＥＤ２５が点灯しているのが分かるので、前記ＬＥＤ２５の消し忘れを防止することができる。
【００２９】
また、本発明は、前記導光部２７の先端部を、前記ＬＥＤ２５の照射方向の略反対側で露出させたことで、前記ＬＥＤ２５を点灯させたまま前記灯具５を折り畳んでも、前記ＬＥＤ２５が点灯しているのをより分かりやすくすることができる。
【００３０】
また、本発明は、前記ＬＥＤ２５を囲むように反射体２６を設けると共に、この反射体２６と一体に、前記導光部２７を囲む筒状部２８を設けることで、前記ＬＥＤ２５から放射された光が、前記導光部２７の側面から漏れることなく、この導光部２７から放出される光量を多くして、前記ＬＥＤ２５が点灯しているのをより分かりやすくすることができる。
【００３１】
また、前記灯具５における前記ＬＥＤ２５の照射側に突部２０を設け、前記基体４における前記突部２０に対応する位置に凹部８を設けると共に、前記灯具５の折り畳み時に、前記突部２０が前記凹部８内に収容されることにより、前記基体４と灯具５との間から光が漏れにくい構造であっても、前記導光部２７からの光によって、前記ＬＥＤ２５が点灯しているのが分かり、消し忘れを防止することができる。
【００３２】
次に、本発明の第二の実施形態について、図６に基づいて説明する。本実施形態では、上述した第一の実施形態のように、前半体１６Ａに貫通孔１９を形成せず、代わりに、前半体１６Ｃに薄肉部３１を形成し、この薄肉部３１の内側に導光部３２の先端部を配置する。なお、前記薄肉部３１の厚さは、前記導光部３２の先端部から放出される光を透過させることができる程度に十分薄く形成される。この場合、前記導光部３２の先端部は物理的には露出しないが、前記導光部３２の先端部から放出される光を透過させることができるので、光学的には露出していると言える。これ以外の構成は、上述した第一の実施形態と同一であるので、説明を省略する。また、作用及び効果も、上述した第一の実施形態と同一であるので、説明を省略する。
【００３３】
次に、本発明の第三の実施形態について、図７に基づいて説明する。４０は本実施形態の照明装置の装置本体である。この装置本体４０は、基体４１と、この基体４１に対し揺動可能に取り付けられた灯具４２とを有して構成される。そして、前記灯具４２は、前記基体４１に対し折り畳み可能である。前記基体４１は、前半体４３Ａと後半体４３Ｂからなる外殻体４３を有する。この外殻体４３は、縦長で且つ上部が後方に向かって反るように形成される。また、前記前半体４３Ａの中央部から上端にかけて、段部７が形成される。なお、前記前半体４３Ａの表面は、光が良好に反射されることが望ましい。この場合、反射とは、鏡面反射でも拡散反射でもよい。更に、前記前半体４３Ａの正面下部には、スイッチ操作部１０が設けられる。また、前記後半体４３Ｂの下部の内側には、電池室１１が設けられる。そして、この電池室１１内には、二次電池１２が設けられる。また、前記外殻体４３内には、点灯回路や充電回路が形成された回路基板１３が設けられる。そして、この回路基板１３に実装されたスイッチ１４が、前記スイッチ操作部１０によって押圧可能となる。
【００３４】
前記灯具４２は、前半体４４Ａと後半体４４Ｂからなる外殻体４４を有する。この外殻体４４は、前記基体４１の外殻体４３に倣って、上方ほど後方に反るように形成される。そして、前記灯具４２の先端が前記基体４１に近付くように、前記灯具４２を揺動させると、この灯具４２は、前記段部７に収まるように折り畳まれる。更に、前記前半体４４Ａの下部には、前後方向に貫通した貫通孔１９が形成される。そして、前記後半体４４Ｂの下部には、後方に開口する開口部４５が形成される。そして、この開口部４５には、この開口部４５を塞ぐように、透光性を有するカバー体４６が設けられる。なお、このカバー体４６は、透明な合成樹脂で形成され、その表面に微細な多数の凹凸を形成することで、このカバー体４６を透過する光を拡散させるように構成される。また、前記カバー体４６の内側には、基板２４に実装された光源としての複数のＬＥＤ２５が設けられる。更に、これらのＬＥＤ２５を囲むように、反射体４７が設けられる。なお、この反射体４７は、白色の合成樹脂で形成される。
【００３５】
前記カバー体４６には、前方に延びる導光部４８が、前記カバー体４６と一体に形成される。即ち、前記導光部４８も、透明な合成樹脂で形成される。なお、前記導光部４８が延びる前方は、光源としての前記ＬＥＤ２５による照射方向である後方に対し、ほぼ反対側である。また、前記反射体４７には、前記導光部４８を囲むように前方に延びる筒状部４９が、前記反射体４７と一体に形成される。即ち、前記筒状部４９も、白色の合成樹脂で形成される。そして、前記導光部４８の先端部は、前記貫通孔１９で外部に露出する。
【００３６】
即ち、本実施形態の装置本体４０は、上記各実施形態とは異なり、基体４１と灯具４２の対向面が平坦となるように構成される。そして、本実施形態は、前記基体４１に凹部が設けられない点、及び前記灯具４２に突部が設けられない点を除き、上記第一の実施形態と構成が基本的に共通する。
【００３７】
そして、前記ＬＥＤ２５から放射された光の一部は、前記カバー体４６自体の内部において前記導光部４８に導かれ、この導光部４８の露出した先端部から放出される。なお、前述した通り、前記導光部４８の周囲が前記筒状部４９によって囲まれていることで、前記導光部４８の側面から漏れた光を、前記筒状部４９の内面で反射させて前記導光部４８に戻すことができる。これによって、前記導光部４８から前記灯具４２外に放出される光の量が減少しないようにして、前記導光部４８が光っていることを確実に認識させることができる。
【００３８】
なお、前記スイッチ操作部１０を操作せずに前記灯具４２を折り畳んでしまうこともあり得る。この場合、前記基体４１と灯具４２との間から光が漏れるが、周囲が明るければ、この漏れる光に気付かず、前記ＬＥＤ２５を点灯させ続けてしまう可能性がある。特に、前記基体４１と灯具４２の間隔が狭ければ、漏れる光は僅かである。このため、前記基体４１と灯具４２との間から漏れる光によって、前記ＬＥＤ２５が点灯しているか否かを判断するのは困難である。しかしながら、前記灯具４２の前半体４４Ａに形成された貫通孔１９から前記導光部４８の先端部が露出し、この導光部４８の先端部から、前記ＬＥＤ２５から放射された光の一部が放出されるので、前記灯具４２を閉じた状態であっても、前記ＬＥＤ２５が点灯しているか否かを判断することができる。特に、前記灯具４２を閉じた状態では、前記ＬＥＤ２５から放射された光が前記基体４１を構成する外殻体４３の前半体４３Ａの対向部位４３Ｃで反射して前記カバー体４６に戻ることで、前記導光部４８に導かれる光の量が増えるので、前記灯具４２を開いた状態に比べ、前記導光部４８の先端部から放出される光の量が増加し、より視認しやすくなる。また、前記導光部４８の先端部は、光源となる前記ＬＥＤ２５の照射方向の反対側、即ち前記灯具４２を畳んだ際の正面側で、前記前半体４４Ａに形成された貫通孔１９で露出するので、使用者がより視認しやすくできる。そして、前記ＬＥＤ２５の消灯し忘れに気付いた使用者は、前記スイッチ操作部１０によって前記スイッチ１４を操作して前記ＬＥＤ２５を消灯させる。その他の作用は、上記各実施形態と共通するので、説明を省略する。
【００３９】
なお、本発明は以上の実施形態に限定されるものではなく、発明の要旨の範囲内で種々の変形実施が可能である。例えば、上記実施形態では、導光部の先端部を灯具の正面で露出させたが、灯具の側面で露出させるようにしてもよい。（但し、視認性の面から、灯具の正面で露出させるのが好ましい。）また、上記実施形態では、灯具を折り畳んだ際に、光源の照射方向が後方となるが、灯具を折り畳んだ際に光源の照射方向が下方となる照明装置にも適用可能である。更に、上記実施形態では、光源としてＬＥＤを用いたが、ＥＬ光源であってもよい。
【符号の説明】
【００４０】
１  照明装置
２，４０  装置本体
４，４１  基体
５，４２  灯具
８  凹部
１９  貫通孔
２０  突部
２３，４６  カバー体
２５  ＬＥＤ（光源）
２６，４７  反射体
２７，４８  導光部
２８，４９  筒状部
【図１】
0006435129.tif 000002
【図２】
0006435129.tif 000003
【図３】
0006435129.tif 000004
【図４】
0006435129.tif 000005
【図５】
0006435129.tif 000006
【図６】
0006435129.tif 000007
【図７】
0006435129.tif 000008